【手続補正書】
【提出日】平成21年7月29日(2009.7.29)
【手続補正１】
【補正対象書類名】特許請求の範囲
【補正対象項目名】全文
【補正方法】変更
【補正の内容】
【特許請求の範囲】
【請求項１】
Ｘ線源と、
前記Ｘ線源からのＸ線を方向づける光学デバイスであって、前記Ｘ線源からのＸ線を合焦単色Ｘ線ビームの形態で焦点の方に方向づけるための少なくとも１つの点焦点湾曲モノクロメータ光学体を含む光学デバイスと、
前記光学デバイスから方向付けられた前記合焦単色Ｘ線ビームと位置合わせされた画像式検出器である検出器と
を含み、
被写体が、前記光学デバイスによって供給される前記合焦単色Ｘ線ビーム内で、前記光学デバイスと前記検出器との間に配置される場合に、前記光学デバイスは、前記検出器を使用しての前記被写体のレントゲン写真の画像化を容易にし、かつ
前記被写体が前記合焦単色Ｘ線ビーム内で前記焦点の前に配置されて、前記被写体が前記焦点に対するよりも、前記検出器が前記焦点に対してより近くに配置される場合に、前記光学デバイスは前記被写体の画像縮小を容易にすることを特徴とするＸ線結像系。
【請求項２】
Ｘ線源と、
前記Ｘ線源からのＸ線を方向づける光学デバイスであって、前記Ｘ線源からのＸ線を合焦単色Ｘ線ビームの形態で焦点の方に方向づけるための少なくとも１つの点焦点湾曲モノクロメータ光学体を含む光学デバイスと、
前記光学デバイスから方向付けられた前記合焦単色Ｘ線ビームと位置合わせされた画像式検出器である検出器と
を含み、
被写体が、前記光学デバイスによって供給される前記合焦単色Ｘ線ビーム内で、前記光学デバイスと前記検出器との間に配置される場合に、前記光学デバイスは、前記検出器を使用しての前記被写体のレントゲン写真の画像化を容易にし、かつ
前記被写体が前記合焦単色Ｘ線ビーム内で前記焦点の前に配置されて、前記検出器が前記被写体と前記焦点との間に配置される場合に、前記光学デバイスは前記被写体のレントゲン写真の画像化を容易にすることを特徴とするＸ線結像系。
【請求項３】
Ｘ線源と、
前記Ｘ線源からのＸ線を方向づける光学デバイスであって、前記Ｘ線源からのＸ線を合焦単色Ｘ線ビームの形態で焦点の方に方向づけるための少なくとも１つの点焦点湾曲モノクロメータ光学体を含む光学デバイスと、
前記光学デバイスから方向付けられた前記合焦単色Ｘ線ビームと位置合わせされた画像式検出器である検出器と
を含み、
被写体が、前記光学デバイスによって供給される前記合焦単色Ｘ線ビーム内で、前記光学デバイスと前記検出器との間に配置される場合に、前記光学デバイスは、前記検出器を使用しての前記被写体のレントゲン写真の画像化を容易にし、かつ
前記被写体が前記合焦単色Ｘ線ビーム内で前記焦点の前に配置されて、前記検出器が前記焦点の後に配置される場合に、前記光学デバイスは前記被写体のレントゲン写真の画像化を容易にすることを特徴とするＸ線結像系。
【請求項４】
Ｘ線源と、
前記Ｘ線源からのＸ線を方向づける光学デバイスであって、前記Ｘ線源からのＸ線を合焦単色Ｘ線ビームの形態で焦点の方に方向づけるための少なくとも１つの点焦点湾曲モノクロメータ光学体を含む光学デバイスと、
前記光学デバイスから方向付けられた前記合焦単色Ｘ線ビームと位置合わせされた画像式検出器である検出器と
を含み、
被写体が、前記光学デバイスによって供給される前記合焦単色Ｘ線ビーム内で、前記光学デバイスと前記検出器との間に配置される場合に、前記光学デバイスは、前記検出器を使用しての前記被写体のレントゲン写真の画像化を容易にし、かつ
前記被写体および前記検出器が前記焦点の後に配置される場合に、前記光学デバイスは前記被写体のレントゲン写真の画像化を容易にすることを特徴とするＸ線結像系。
【請求項５】
前記光学デバイスの各少なくとも１つの点焦点湾曲モノクロメータ光学体は、二重湾曲の光学面を含むことを特徴とする請求項１乃至４のいずれかの項に記載のＸ線結像系。
【請求項６】
前記光学デバイスの前記少なくとも１つの点焦点湾曲モノクロメータ光学体は、複数の二重湾曲光学結晶または複数の二重湾曲多層光学体を含むことを特徴とする請求項１乃至４のいずれかの項に記載のＸ線結像系。
【請求項７】
前記少なくとも１つの点焦点湾曲モノクロメータ光学体は、同等の入力焦点距離および出力焦点距離を有する少なくとも１つの対称型光学体を含むことを特徴とする請求項１乃至４のいずれかの項に記載のＸ線結像系。
【請求項８】
前記少なくとも１つの点焦点湾曲モノクロメータ光学体は、少なくとも１つの半径Ｒのローランド円を画定するための前記Ｘ線源および前記焦点で位置決めされた複数の二重湾曲光学体を含み、前記複数の二重湾曲光学体は前記Ｘ線源からのＸ線の前記焦点への集束を行い、前記複数の二重湾曲光学体は前記半径Ｒと異なるローランド円の面内に表面プロファイル半径を有することを特徴とする請求項１乃至４のいずれかの項に記載のＸ線結像系。
【請求項９】
前記Ｘ線源は１０００ワット未満の低いパワーＸ線源であることを特徴とする請求項１乃至４のいずれかの項に記載のＸ線結像系。
【請求項１０】
前記被写体は生体であることを特徴とする請求項１乃至４のいずれかの項に記載のＸ線結像系。
【請求項１１】
前記被写体が前記焦点に対するよりも、前記検出器が前記焦点に対してより近くに配置される場合に、前記光学デバイスは前記被写体のレントゲン写真の画像化を容易にすることを特徴とする請求項３に記載のＸ線結像系。
【請求項１２】
前記被写体が前記検出器よりも前記焦点に対してより近くに配置される場合に、前記光学デバイスは前記被写体のレントゲン写真の画像化を容易にすることを特徴とする請求項３に記載のＸ線結像系。
【請求項１３】
Ｘ線源と、
前記Ｘ線源からのＸ線を第１の合焦単色Ｘ線ビームの形態で第１の焦点の方に方向づけるための少なくとも１つの第１の点焦点湾曲モノクロメータ光学体を含む第１の光学デバイスと、
前記第１の光学デバイスからの前記第１の合焦単色Ｘ線ビームと位置合わせされた第２の光学デバイスであって、前記第１の合焦単色Ｘ線ビームのＸ線を第２の合焦単色Ｘ線ビームの形態で第２の焦点の方に方向づけるための少なくとも１つの第２の点焦点湾曲モノクロメータ光学体を含む第２の光学デバイスと、
前記第２の光学デバイスから方向付けられた前記第２の合焦単色Ｘ線ビームと位置合わせされた画像式検出器である検出器とを含み、
被写体が前記第１の合焦単色Ｘ線ビーム内で前記第１の光学デバイスと前記第２の光学デバイスとの間に配置される場合に、前記第１の光学デバイスおよび前記第２の光学デバイスは、前記検出器を使用しての前記被写体のＸ線画像化を容易にすることを特徴とするＸ線結像系。
【請求項１４】
前記少なくとも１つの第１の点焦点湾曲モノクロメータ光学体および前記少なくとも１つの第２の点焦点湾曲モノクロメータ光学体は、各々二重湾曲の光学面を含むことを特徴とする請求項１３に記載のＸ線結像系。
【請求項１５】
前記少なくとも１つの第１の点焦点湾曲モノクロメータ光学体および前記少なくとも１つの第２の点焦点湾曲モノクロメータ光学体は、複数の二重湾曲光学結晶および複数の二重湾曲多層光学体のうちの少なくとも１つを含むことを特徴とする請求項１３に記載のＸ線結像系。
【請求項１６】
前記少なくとも１つの第１の点焦点湾曲モノクロメータ光学体は、少なくとも１つの半径Ｒのローランド円を画定するための前記Ｘ線源および前記第１の焦点で位置決めされた第１の複数の二重湾曲光学体を含み、前記第１の複数の二重湾曲光学体は前記線源からのＸ線の前記第１の焦点への集束を行い、前記第１の複数の二重湾曲光学体は前記半径Ｒと異なるローランド円の面内に表面プロファイル半径を有し、前記少なくとも１つの第２の点焦点湾曲モノクロメータ光学体は、少なくとも１つの半径Ｒ’のローランド円を画定するための前記第１の焦点および前記第２の焦点で位置決めされた第２の複数の二重湾曲光学体を含み、前記第２の複数の二重湾曲光学体は前記第１の焦点からのＸ線の集束を行い、前記第２の複数の二重湾曲光学体は前記半径Ｒ’と異なるローランド円の面内に表面プロファイル半径を有することを特徴とする請求項１３に記載のＸ線結像系。
【請求項１７】
前記被写体が前記第１の合焦単色Ｘ線ビーム内で前記第１の焦点と前記第２の光学デバイスとの間に配置される場合に、前記第１の光学デバイスおよび前記第２の光学デバイスは、前記検出器を使用しての前記被写体の画像化を容易にすることを特徴とする請求項１３に記載のＸ線結像系。
【請求項１８】
前記被写体が前記第１の合焦単色Ｘ線ビーム内で前記第１の光学デバイスと前記第１の焦点との間に配置される場合に、前記第１の光学デバイスおよび前記第２の光学デバイスは、前記検出器を使用しての前記被写体の画像化を容易にすることを特徴とする請求項１３に記載のＸ線結像系。
【請求項１９】
前記第１の光学デバイスおよび前記第２の光学デバイスのうちの少なくとも１つは、前記被写体の屈折率画像化を容易にすることを特徴とする請求項１３に記載のＸ線結像系。
【請求項２０】
前記第１の光学デバイスおよび前記第２の光学デバイスのうちの少なくとも１つは、前記被写体の偏光ビーム画像化を容易にすることを特徴とする請求項１３に記載のＸ線結像系。
【手続補正２】
【補正対象書類名】明細書
【補正対象項目名】０００１
【補正方法】変更
【補正の内容】
【０００１】
本発明は、一般に高エネルギー電磁放射を集束するためのデバイスに関する。詳細には、本発明は、Ｘ線を方向付けて三次元合焦することで生体などの被写体の低線量・高鮮明度画像化を可能に刷る改善された結合系を提供するものである。